(57)【特許請求の範囲】
【請求項１】
画像記録手段から所定の属性データに基いて画像を検索する検索手段と、
検索された複数枚の画像の縮小画像を生成する縮小画像生成手段と、
生成された縮小画像の中から所望の画像を選択する画像選択手段と、
選択された選択画像を前記縮小画像の大きさよりも大きい選択表示画像として生成する選択画像生成手段と
を有した医療用画像再生装置において、
前記選択画像生成手段は、前記画像選択手段によって選択された画像を基準として所定数枚の画像を前記縮小画像の大きさよりも大きい前記選択表示画像を生成し、
前記縮小画像と前記選択表示画像とは、異なる表示エリアに互いに重なることのないよう同時に表示される
ことを特徴とする医療用画像再生装置。
【請求項２】
特定の画像を所見データに関連づけて登録するための手段をさらに具備したことを特徴とする請求項１に記載の医療用画像再生装置。
【請求項３】
前記登録するための手段は、スキーマ上の位置を指定することが可能であることを特徴とする請求項３に記載の医療用画像再生装置。
【請求項４】
前記登録するための手段により関連付けられた所見データと画像とを、所見文書として印刷出力する手段をさらに具備したことを特徴とする請求項２または請求項３に記載の医療用画像再生装置。
【発明の詳細な説明】
【０００１】
【発明の属する技術分野】
本発明は医療用画像再生装置、更に詳しくはインデックス画像より選択された拡大画像の表示部分に特徴のある医療用画像再生装置に関する。
【０００２】
【従来の技術】
従来より、画像入力装置、画像記録装置、画像再生装置から成り、それぞれがネットワーク接続された医療用画像ファイリングシステムが知られている。
【０００３】
このような医療用画像ファイリングシステムは、画像入力装置から入力された画像を、画像記録装置にて記録保存し、記録した画像の中から所望の画像を画像再生装置にて検索・再生表示可能としたものである。
【０００４】
また、前記画像再生装置の一例として、幾つかのキーワード等を指定して検索を実行し、検索された画像群の縮小画像（以下、インデックス画像）を表示するものが周知である。
【０００５】
このような画像再生装置は、１画面中により多くの画像を表示可能であるため、画像を見ながら所望の画像を検索するのに適している。また、インデックス画像を指定することで、元の大きさの原画像を表示したり、拡大表示したりすることが可能である。
【０００６】
さらに、このような画像再生装置では、所望の画像を複数選択し、選択された複数の画像を、（ｌ）並べて拡大表示したり、（２）並べて印刷出力したり、（３）別モニタヘ同時表示したりすることも可能である。
【０００７】
【発明が解決しようとする課題】
しかしながら、従来の画像再生装置では、縮小表示されたインデックス画像の中から複数の画像を選択して、上記（１）〜（３）の処理を行った場合に、以下の（ａ）〜（ｄ）の謀題がある。
【０００８】
（ａ）複数の画像を選択する際、画像を１つ１つ全て選択する必要があり、操作が煩わしい。
【０００９】
（ｂ）拡大表示した画像が、表示されていたインデックス画像に重なって表示され、次の画像選択が行い難くなる。
【００１０】
（ｃ）選択した画像の印刷出力を確認するには、画像の選択動作以外に印刷のプレビューを装置に指示する必要があり、操作が煩わしい。
【００１１】
（ｄ）印刷プレビューが、表示されていたインデックス画像に重なって表示され、次の画像選択が行い難くなる。
【００１２】
本発明は、上記事情に鑑みてなされたものであり、画像診断等における操作性を向上させることのできる医療用画像再生装置を提供することを目的としている。
【００１３】
【課題を解決するための手段】
本発明の医療用画像再生装置は、画像記録手段から所定の属性データに基いて画像を検索する検索手段と、検索された複数枚の画像の縮小画像を生成する縮小画像生成手段と、生成された縮小画像の中から所望の画像を選択する画像選択手段と、選択された選択画像を前記縮小画像の大きさよりも大きい選択表示画像として生成する選択画像生成手段とを有した医療用画像再生装置において、前記選択画像生成手段は、前記画像選択手段によって選択された画像を基準として所定数枚の画像を前記縮小画像の大きさよりも大きい前記選択表示画像を生成し、前記縮小画像と前記選択表示画像とは、異なる表示エリアに互いに重なることのないよう同時に表示されるように構成される。
本発明の医療用画像再生装置は、特定の画像を所見データに関連づけて登録するための手段をさらに具備した。
本発明の医療用画像再生装置は、前記登録するための手段が、スキーマ上の位置を指定することが可能である。
本発明の医療用画像再生装置は、前記登録するための手段により関連付けられた所見データと画像とを、所見文書として印刷出力する手段をさらに具備した。
【００１４】
本発明の医療用画像再生装置では、前記選択画像生成手段が、前記画像選択手段によって選択された画像を基準として所定数枚の画像を前記縮小画像の大きさよりも大きい前記選択表示画像として生成することで、画像診断等における操作性を向上させることを可能とする。
【００１５】
【発明の実施の形態】
以下、図面を参照しながら本発明の実施の形態について述べる。
【００１６】
図１ないし図２０は本発明の一実施の形態に係わり、図１は医療用画像ファイリングシステムの構成を示す構成図、図２は図１の画像再生装置の機能を示す機能ブロック図、図３は図１の画像再生ユニットの構成を示す構成図、図４は図３のＴＶモニタに表示される画像の第１の表示例を示す図、図５は図３のＴＶモニタに表示される画像の第２の表示例を示す図、図６は図３のＰＣモニタに表示される画像構成を示す構成図、図７は図３のＰＣモニタに表示される画像の第１の表示例を示す図、図８は図３のＰＣモニタに表示される画像の第２の表示例を示す図、図９は図３のＰＣモニタに表示される画像の第３の表示例を示す図、図１０は図３のＰＣモニタに表示される画像の第４の表示例を示す図、図１１は図３のＰＣモニタに表示される画像の第５の表示例を示す図、図１２は図３のＰＣモニタに表示される画像の第６の表示例を示す図、図１３は図３のＰＣモニタに表示される画像の第７の表示例を示す図、図１４は図３のＰＣモニタに表示される画像の第８の表示例を示す図、図１５は図３のＰＣモニタに表示される画像の第９の表示例を示す図、図１６は図３のＰＣモニタに表示される画像の第１０の表示例を示す図、図１７は図３のＰＣモニタに表示される画像の第１１の表示例を示す図、図１８は図３のＰＣモニタに表示されるスキーマ画像の第１の表示例を示す図、図１９は図３のＰＣモニタに表示されるスキーマ画像の第１の表示例を示す図、図２０は所見データ及び記録画像を印刷出力した例を示す図である。
【００１７】
図１に示すように、本実施の形態の医療用画像ファイリングシステム１は、画像の入力を行う画像入力ユニット２と、画像の記録を行う画像記録ユニット３と、画像の検索及び再生を行う画像再生ユニット４とから構成され、これらのユニット２、３、４はネットワークとしてのＬＡＮ５で相互に接続されている。
【００１８】
画像入力ユニット２は、撮像素子を内蔵した電子内視鏡（電子スコープともいう）６と、この電子内視鏡６のライトガイドに照明光を供給する光源装置７と、電子内視鏡６の撮像素子に対する信号処理を行うビデオプロセッサ８と、このビデオプロセッサ８から出力される映像信号を表示する第１のモニタ９と、画像の圧縮と伸張の処理を行う第１の圧縮伸張装置１０と、ビデオプロセッサ８にデータの入力等を行う第１のキーボード１１と、患者が所有する患者カード（図示せず）に記録されたデータ等の読み取りを行いビデオプロセッサ８に入力するカードリーダ１２とから成り、電子内視鏡６、光源装置７、第１のモニタ９、第１の圧縮伸張装置１０、キーボード１１、カードリーダ１２は各々がビデオプロセッサ８と信号線により接続されている。
【００１９】
また、画像記録ユニット３は、制御装置１３と、例えばハードディスク装置等からなる比較的小容量の小容量記録装置１４と、例えば複数の記録ディスク（ＭＯ、ＣＤ−Ｒ、ＤＶＤ等の光ディスク）等を備えたオートチェンジャ式の記録装置等からなる小容量記録装置１４より十分大きな記録容量を有する大容量記録装置１５とから構成され、ＬＡＮ５を介してそれぞれが接続され、制御装置１３は各ユニット２、３、４の状態を監視すると共に、画像入力ユニット２による検査中に小容量記録装置１４及び大容量記録装置１５を制御し、検索に必要な過去の患者の画像データを小容量記録装置１４に格納するようになっている。
【００２０】
画像再生ユニット４は、検索を行うと共に画像を再生する画像再生装置１６と、検索された画像を表示する第２のモニタであるＰＣモニタ１７と、画像の圧縮と伸張の処理を行う第２の圧縮伸張装置１８と、画像再生装置１６にデータやコマンドを入力するための第２のキーボード１９及びマウス２０と、図２に示す機能を有する画像再生装置１６が検索した画像を印刷するカラービデオプリンタ等からなるプリンタ２１とから成り、ＰＣモニタ１７、第２の圧縮伸張装置１８、第２のキーボード１９、マウス２０は各々が画像再生装置１６と信号線により接続されている。
【００２１】
また、画像入力ユニット２、画像再生ユニット４は、各々が有する圧縮伸張装置１０、１８を介し、ＬＡＮ５に接続されている。
【００２２】
なお、画像入力ユニット２の電子内視鏡６は、細長の挿入部６Ａとこの挿入部６Ａの後端に設けられた操作部６Ｂとを有し、操作部６Ｂにはレリーズ指示を行うレリーズスイッチ２３が設けられている。
画像記録ユニット３の制御装置１３には、関連情報としての複数のデータベースファイル（患者データベースファイル、検査データベースファイル、画像データベースファイル等）が記録されている。
【００２３】
これらの患者データベースファイルと検査データベースファイルは患者ＩＤをキーとして管理されており、ひとりの患者に対し複数の検査データを関連対応させて記録している。
【００２４】
また、記録された内視鏡画像は、検査データと関連対応させて記録させている。このように患者−検査−画像をそれぞれ関連づけて記録させているため、情報の１片から所望の情報全てを検索することが可能となっている。
【００２５】
画像再生ユニット４の画像再生装置１６には、図３に示すように、ＰＣモニタ１７以外に大型のＴＶモニタ２２を接続し画像の供覧（カンファレンス）用に使用したり、プリンタ２１を接続し再生した画像の印刷出力を行うことが可能となっている。
【００２６】
ここでいうＴＶモニタ２１とはインターレース方式で映像表示を行うもので、ＲＧＢ信号、ＮＴＳＣコンポジット信号、Ｙ／Ｃ信号等のアナログ映像信号を表示可能なタイプのモニタを指し、ＰＣモニタ１７とはノンインターレース方式で映像表示を行うもので、パソコン画面の表示等に使用されるをモニタを指す。
【００２７】
図４は画像再生装置１６に接続された供覧用の上記ＴＶモニタ２２の画面の一例であって、画像再生装置１６で縮小画像（以降、インデックス画像）から選択された１枚の画像がＴＶモニタ２２上に表示されている状態を示している。
【００２８】
後述するように、画像再生装置１６において、インデックス画像を１つ指定し原画像サイズで表示させる場合、ＰＣモニタ１７上に原画像サイズの画像が表示されるのと同時に、ＴＶモニタ２２にも選択された画像が表示される。
【００２９】
つまり、画像再生ユニット４では、ＰＣモニタ１７だけではなく、画像再生装置１６に接続したＴＶモニタ２２上にも画像を表示可能に構成されている。
【００３０】
したがって、ＴＶモニタ２２は、ＰＣモニタ１７に比較し、色再現性に優れるといった特性を有するため、色の違いを重視してＴＶモニタ２２を利用するケースが考えられる。また、大型のＴＶモニタ２２を用意し、多人数での画像供覧用に使用することも可能である。
【００３１】
なお、ＴＶモニタ２２上には、ＰＣモニタ１７上の後述の画像表示エリア以外のエリアは表示されず、インデックス画像から選択された画像のみが表示される。また、インデックス画像を複数選択した場合、図５に示すように、ＰＣモニタ１７上に表示されるのと同時に、ＴＶモニタ２２にも選択された画像が表示される。
【００３２】
図６に示すように、画像再生装置１６に接続されたＰＣモニタ１７上に表示されるメイン画面２５は、主に６つの領域、すなわち、メニューバー３０及びツールバー３１、検査一覧表示エリア３２、画像表示エリア３３、所見表示エリア３４、オブジェクトコピーエリア３５、ステータスバー３６とから構成されている。以下にこれら領域の役割について説明する。なお、各エリアはウインドウとして独立な機能を有している。
【００３３】
（１）メニューバー３０及びツールバー３１：
画像再生装置１６で用意されている機能のメニュー、または、アイコン化されたメニューが用意されており、画像再生装置１６の終了、検索の実行、表示レイアウトの変更、入力した所見データの保存、所見項目のカスタマイズ等の機能が利用可能となっている。
【００３４】
（２）検査一覧表示エリア３２：（図２の検査一覧管理）
検査の検索条件を選択、実行し、検索した結果を一覧表示する。
【００３５】
（３）画像表示エリア３３：（図２の画像管理）
検索された画像のインデックス画像を表示する。
【００３６】
（４）所見表示エリア３４：（図２の所見管理）
検査の所見情報を表示する。データの入力が可能であり、ここで入力されたデータは、画像と関連付けて画像記録手段に記録される。この入力データをキーワードとして、画像を検索することも可能である。
【００３７】
（５）オブジェクトコピーエリア３５：（図２のオブジェクトコピー管理）
用意されている各機能へ、画像データや所見データの受け渡しを行う。それぞれの機能は、アイコン化されており、このアイコン上に画像や所見をドラッグアンドドロップすることで、各機能モジュールヘデータの受け渡しと実行の指示を行うことが可能である。機能モジュールとしては、例えば以下（ａ）〜（ｅ）のようなものが用意されている。
【００３８】
（ａ）画像メモ機能：（図２の画像メモ）
ＰＣハードディスク内の所定フォルダに選択した画像をコピーし、一時的に保存する。
【００３９】
（ｂ）画像外部出力機能：（図２の画像外部出力）
画像再生装置に接続されたＭＯ等の外部記録メディアに画像データをコピーする。コピーの際には、予め指定されたデータ形式（ビットマップ形式、ＪＰＥＧ形式）に変換される。
【００４０】
（ｃ）印刷機能：（図２の印刷）
画像データや所見データを印刷する。画像を印刷する場合は、プレビューとして画像再生エリアから選択した画像を並べて表示することができる。
【００４１】
（ｄ）画像処理機能：（図２の画像処理）
画像再生エリアから選択した画像を所定の画像処理を行った後に表示する。
【００４２】
（ｅ）外部アプリケーション起動機能：（図２の外部アプリケーション）
一般に市販されているアプリケーションソフト（ワープロソフト、表計算ソフト、スライド作成ソフト、エディタ等）を画像再生装置にインストールしておき、このアイコンを使用することで、該アプリケーションソフトを起動し、使用することができる。
【００４３】
（６）ステータスバー３６：
装置の処理状況や、検索でヒットした検査の数、画像枚数等を表示する。
【００４４】
ＰＣモニタ１７上のメイン画面２５において、キーワード等を指定して検索を行うと、図７に示すように、検索された画像群のインデックス画像が画像表示エリア３３に表示される。
【００４５】
図８は、図７の状態で画像表示エリア３３に表示されたインデックス画像を１つ指定し、メイン画面２５に原画像サイズで表示した結果を示す。この指定は、インデックス画像をダブルクリックすることで可能である。
【００４６】
図８に示すように、原画像サイズで表示した画像の上部には、この原画像サイズの画像に対して実行可能な機能のアイコン化された複数のボタンが原画像サイズの画像上部に用意され、これらのボタンをクリックすることで、この原画像のみに対してＰＣモニタ１７への拡大縮小表示、プリンタ２１への印刷、ＴＶモニタ２２への表示、画像再生装置１６内のハードディスクへの保存（クリップボードへのコピー）等を行うことができる。
【００４７】
また、図７の状態でインデックス画像の複数を拡大表示する場合は、図９に示すように、表示レイアウトを変更し、画像のみを表示するモードに切り替えた画像表示画面４１となる。
【００４８】
画像再生装置１６では、メニューバー３０／ツールバー３１に用意されたメニューを選択することで、ＰＣモニタ１７での画面のレイアウトを使用する目的によって種々の画面に変更することができる。
【００４９】
例えば、キーワード等で所望の画像群が検索でき、絞り込み検索等のさらなる検索が発生しない場合は、それ以降、検査一覧表示エリア３２は不要となる。また、画像を検索・表示するのが目的で、特に所見データの入力を行わないような場合は、所見表示エリア３４は不要である。
【００５０】
このような場合は、画面一杯を画像表示用に使用した方が、より多くの画像が同時に表示でき、画面を有効に使用できる。
【００５１】
画像表示画面４１では、画面上方にインデックス画像を表示し、画面下方に原画像、または、拡大した画像を表示可能なレイアウトとしており、画面上方のインデックス画像を１つ選択すると、選択された画像を基準として、それ以降の画像を所定枚数表示する（図９は、６枚表示モードとなっており、選択された画像を基準として６枚の画像が自動で選択・表示されている）。
【００５２】
従来の装置では、複数の拡大画像を並べて表示する際は、表示するインデックス画像を１つ１つ全て指定する必要があり、操作が煩わしかった。しかし、本実施の形態では、インデックス画像を１つ指定するのみで、自動で複数枚の画像を表示可能としているので、操作の煩わしさが解消されている（図９では第３のインデックス画像Ｃを指定することで連続した第４のインデックス画像Ｄないし第８のインデックス画像Ｈの６枚の拡大画像が表示されている）。
【００５３】
医療用画像ファイリングシステム、特に内視鏡用の用途では、画像を同時に並べて表示する必要があるのは、時系列的に近い位置の画像であることが多い。例えば内視鏡分野では、内視鏡を体内に挿入しながら順番に画像を撮像していく。画像を同時に並べて比較参照等を行う必要があるのは、時系列的に近い位置の画像、すなわち同じあるいは近い位置の部位で撮影した画像同士であり、時系列的に遠い位置、すなわち離れた部位で撮影した画像同士を比較することは少ない。
【００５４】
よって、このような方法が特に有効となり、装置の操作から煩わしさや無駄をなくすことができる。また、このように、自動で複数の画像を選択表示する場合は、不要な画像や撮影に失敗した画像をも表示することになるので、不要な画像を表示しないために、表示をスキップしたい画像を指定する等を可能としても良い。
【００５５】
図９は６枚表示モードであるが、６枚モード以外に、それぞれ、図１０に示す１枚モード、図１１に示す２枚モード、図１２に示す４枚モードのような画面レイアウトも可能である。図９ないし図１２に示すように、画像を表示する大きさは、表示する画像の枚数によって自動で変更し、インデックス画像に重ならないように表示している。このように、表示枚数に合わせて大きさを変更することで、画面を無駄なく使用し、画像を大きく表示することができる。
【００５６】
また、図９ないし図１２の例では、インデックス画像は一律で２０枚を一度に表示可能としている。これは、内視鏡画像は、２０枚を１単位として撮影することが多く（内視鏡用の銀塩フィルム１本には２０枚の画像が撮影できるため、２０枚を単位に撮影することが多い）２０枚を基準として表示するのが有効であるためである。
【００５７】
また、図１３は図７に示したメイン画面２５において、インデックス画像を指定して複数枚の画像を（表示モードと同様な複数選択方法としてもよい）選択した場合、複数枚選択した画像を並べて印刷出力する際の印刷プレビュー画面４５を示し、画面左上方に表示されているのが、印刷プレビュー画面４５である。
【００５８】
具体的には、画面右上方のインデックス画像を１つずつ、または、４つを一度に選択し、画面左下方の印刷機能アイコンにドラッグアンドドロップすることで印刷プレビュー画面４５を表示することが可能である。
【００５９】
そして、印刷プレビュー画面４５上方のボタンを押すことで、印刷プレビューにて表示される内容を印刷出力することができる。また、この印刷プレビューを省略する設定も可能であり、ドラッグアンドドロップをした画像は、即印刷されるようにしてもよい。また、この印刷のための分割数は、４分割以外にも、６、９、１２、２０分割等が選択可能であり、予め設定しておくか、印刷プレビュー上方のボタンあるいはポップアップアイコンを押すことで、分割数が指定できる。
【００６０】
また、図１４は図９に示した画像表示画面４１において、インデックス画像を指定して複数枚の画像を（表示モードと同様な複数選択方法としてもよい）選択した場合、複数枚選択した画像を並べて印刷出力する際の印刷プレビュー画面４６を示し、図１３の画面左上方に表示されている、印刷プレビュー画面４５に相当する。
【００６１】
また、この画面では、図１５に示すように、この印刷プレビュー画面４６の状態でマウスを用いポップアップメニュー４７を表示させ、分割数を例えば６枚と選択すると、図１６に示すような表示となる。
【００６２】
従来は、印刷したい画像を選択し印刷を行う際、印刷される状態を確認するためには、画像選択の動作以外に、印刷のプレビューを装置に指示する必要があり、操作が煩わしかったが、本実施の形態では、画像の選択動作に応じて、自動で印刷プレビューを表示させるようにしたので、上記問題を解消できる。
【００６３】
さらに、この印刷プレビュー上で、画像の表示位置を変更することが可能であり、移動したい画像を表示させたい位置にドラッグアンドドロップすることで、位置を変更可能である。よって、画像の選択をやり直すといった煩わしさが解消される。
【００６４】
また、従来は、印刷プレビューを表示する場合、印刷プレビューの大きさを意識しておらず、印刷プレビューがインデックス画像に重なって表示されるため、次の画像選択動作を妨げる形になっていた。本実施の形態では、この印刷プレビューをインデックス画像に重ならない位置に表示させるようにしたので、上記問題を解消できる。
【００６５】
また、印刷を行う場合、プレビューで確認したいのは、画像の詳細内容ではなく、画像の位置関係や分割数の構成である。よって、本実施の形態では、印刷プレビューを行う画像の大きさは、インデックス画像と同じか、インデックス画像よりも小さくした。画像の位置関係や分割構成を確認するには、拡大表示等の必要はなく、このように、大きさを制限することで、画面の表示領域を節約し、他のエリアへの重なりを最小限にすることが可能である。
【００６６】
また、本実施の形態では、特定の画像を所見データに関連づけて登録することができ、図１７は、その登録方法を示す画面である。図１７に示すように、メイン画面２５上で選択したインデックス画像を、スキーマと呼ばれる臓器を簡略表示した図が表示されるウィンドウへドラッグアンドドロップすることで、スキーマ表示ウィンドウ５１に選択したインデックス画像を貼り付け、登録することができる（図２のスキーマ管理）。
【００６７】
そして、スキーマウィンドウ５１に選択したインデックス画像をウィンドウへ貼り付ける際に、スキーマウィンドウ５１のスキーマ５２上の位置を指定することで、その画像がどの部位を撮影した画像であるかを表示させることができる。このスキーマウィンドウ５１は、所見表示エリア内のボタンを押す、または所見表示エリア内でマウスを右クリックする等、所定の操作をすることで表示することができる。
【００６８】
図１８及び図１９に示すように、撮影部位の位置を指定することで、どの部分を撮影した画像であるかが表示される。図１８は線の表示によって位置を線により表した例であり、図１９はマーキングの表示によって位置を表した例である。
【００６９】
図２０に、メイン画面２５において、所見表示エリア３４から入力し登録した所見データ、及び、スキーマ表示ウィンドウで登録した画像を印刷出力した出力結果を示す。本実施の形態では、所見表示エリア３４に表示されている所見ウィンドウをオブジェクトコピーエリア３５の印刷機能アイコンにドラッグアンドドロツプすることで、所見データおよび所見データと関連付けて登録されているスキーマ５２を所見文書５５として印刷出力することができる。
【００７０】
［付記］
（付記項１）  画像記録手段から所定の属性データに基いて画像を検索する検索手段と、
検索された複数枚の画像の縮小画像を生成する縮小画像生成手段と、
生成された縮小画像の中から所望の画像を選択する画像選択手段と、
選択された選択画像を前記縮小画像の大きさよりも大きい選択表示画像として生成する選択画像生成手段と
を有した医療用画像再生装置において、
前記選択画像生成手段は、前記画像選択手段によって選択された画像を基準として所定数枚の画像を前記縮小画像の大きさよりも大きい前記選択表示画像を生成する
ことを特徴とする医療用画像再生装置。
【００７１】
（付記項２）  前記選択画像生成手段は、前記縮小画像生成手段により生成された前記縮小画像の縮小画像表示領域と、選択された前記選択表示画像を大きく表示する選択画像表示領域とが重ならないように表示画像を生成する
ことを特徴とする付記項１に記載の医療用画像再生装置。
【００７２】
（付記項３）  前記選択表示画像の大きさは、
前記選択画像生成手段が生成する所定数枚の画像の枚数に応じて変更する
ことを特徴とする付記項２に記載の医療用画像再生装置。
【００７３】
（付記項４）  画像記録手段から所定の属性データに基いて画像を検索する検索手段と、
検索された複数枚の画像の縮小画像を生成する縮小画像生成手段と、
生成された縮小画像の中から所望の画像を複数枚選択する画像選択手段と、
選択された複数枚の画像を並べて印刷出力する印刷画像を生成する印刷画像生成手段と
を有した医療用画像再生装置において、
前記印刷画像生成手段の生成する印刷画像の印刷状態を印刷前に確認するために印刷プレビュー画像を生成する印刷プレビュー生成手段を有し、
前記印刷プレビュー生成手段は前記画像選択手段による画像の選択動作に応じて印刷プレビューの生成を行うことを特徴とした
ことを特徴とする医療用画像再生装置。
【００７４】
（付記項５）  前記印刷プレビュー生成手段によって生成された複数枚の画像各々の生成位置は、前記印刷プレビュー画像上で変更可能である
ことを特徴とする付記項４に記載の医療用画像再生装置。
【００７５】
（付記項６）  前記印刷プレビュー生成手段は、印刷プレビュー画像を前記縮小画像生成手段の生成する縮小画像に重ならない位置に生成する
ことを特徴とする付記項４に記載の医療用画像再生装置。
【００７６】
（付記項７）  前記印刷プレビュー生成手段は、印刷プレビュー画像に使用する画像の大きさを前記縮小画像と同じ大きさもしくは前記縮小画像よりも小さくする
ことを特徴とする付記項４に記載の医療用画像再生装置。
【００７７】
【発明の効果】
以上説明したように本発明の医療用画像再生装置によれば、選択画像生成手段が、画像選択手段によって選択された画像を基準として所定数枚の画像を縮小画像の大きさよりも大きい選択表示画像を生成するので、画像診断等における操作性を向上させることができるという効果がある。
【図面の簡単な説明】
【図１】本発明の一実施の形態に係る医療用画像ファイリングシステムの構成を示す構成図
【図２】図１の画像再生装置の機能を示す機能ブロック図
【図３】図１の画像再生ユニットの構成を示す構成図
【図４】図３のＴＶモニタに表示される画像の第１の表示例を示す図
【図５】図３のＴＶモニタに表示される画像の第２の表示例を示す図
【図６】図３のＰＣモニタに表示される画像構成を示す構成図
【図７】図３のＰＣモニタに表示される画像の第１の表示例を示す図
【図８】図３のＰＣモニタに表示される画像の第２の表示例を示す図
【図９】図３のＰＣモニタに表示される画像の第３の表示例を示す図
【図１０】図３のＰＣモニタに表示される画像の第４の表示例を示す図
【図１１】図３のＰＣモニタに表示される画像の第５の表示例を示す図
【図１２】図３のＰＣモニタに表示される画像の第６の表示例を示す図
【図１３】図３のＰＣモニタに表示される画像の第７の表示例を示す図
【図１４】図３のＰＣモニタに表示される画像の第８の表示例を示す図
【図１５】図３のＰＣモニタに表示される画像の第９の表示例を示す図
【図１６】図３のＰＣモニタに表示される画像の第１０の表示例を示す図
【図１７】図３のＰＣモニタに表示される画像の第１１の表示例を示す図
【図１８】図３のＰＣモニタに表示されるスキーマ画像の第１の表示例を示す図
【図１９】図３のＰＣモニタに表示されるスキーマ画像の第１の表示例を示す図
【図２０】所見データ及び記録画像を印刷出力した例を示す図
【符号の説明】
１…医療用画像ファイリングシステム
２…画像入力ユニット
３…画像記録ユニット
４…画像再生ユニット
５…ＬＡＮ
６…電子スコープ
７…光源装置
８…ビデオプロセッサ
９…モニタ
１０，１８…圧縮伸張装置
１１，１９…キーボード
１２…カードリーダ
１３…制御装置
１４…小容量記録装置
１５…大容量記録装置
１６…検索装置
１７…ＰＣモニタ
２０…マウス
２１…プリンタ
２２…ＴＶモニタ
【図１】
0003996712.tif 000002
【図２】
0003996712.tif 000003
【図３】
0003996712.tif 000004
【図４】
0003996712.tif 000005
【図５】
0003996712.tif 000006
【図６】
0003996712.tif 000007
【図７】
0003996712.tif 000008
【図８】
0003996712.tif 000009
【図９】
0003996712.tif 000010
【図１０】
0003996712.tif 000011
【図１１】
0003996712.tif 000012
【図１２】
0003996712.tif 000013
【図１３】
0003996712.tif 000014
【図１４】
0003996712.tif 000015
【図１５】
0003996712.tif 000016
【図１６】
0003996712.tif 000017
【図１７】
0003996712.tif 000018
【図１８】
0003996712.tif 000019
【図１９】
0003996712.tif 000020
【図２０】
0003996712.tif 000021